(57)【特許請求の範囲】
【請求項１】
家具の本体に予め取付け可能で引き出し（２０）の前後方向に長く延びる引き出しガイド（１１）の可動部（１１Ａ）に引き出し（２０）を固定するための装置であって、
前記可動部（１１Ａ）に取付け可能な本体部（１２）と、
前記本体部（１２）に対して位置調整可能に連結され、前記本体部の取付け状態において鉛直方向上方に延び、引き出し（２０）の側壁の底部に設けられた穴（１８）に鉛直方向下方から挿入可能である掛止部材（１７）と、
前記本体部（１２）に対する前記掛止部材（１７）の位置を調整するための調整手段（２３，３１）とを備えることを特徴とする、掛止装置（１０）。
【請求項２】
前記掛止部材（１７）は、前記本体部（１２）に対し、前記前後方向に位置調整可能であることを特徴とする、請求項１に記載の掛止装置（１０）。
【請求項３】
前記掛止部材（１７）は、前記本体部（１２）に対し、水平面において前記前後方向と交差する方向に、位置調整可能であることを特徴とする、請求項１または２に記載の掛止装置（１０）。
【請求項４】
前記掛止部材（１７）は、前記本体部（１２）から分離される分離要素（２１）上に形成され、
前記分離要素（２１）は、前記本体部（１２）に対して、前記前後方向に位置調整可能に、前記本体部（１２）と連結されることを特徴とする、請求項２または３に記載の掛止装置（１０）。
【請求項５】
前記分離要素（２１）は、前記本体部（１２）の翼状部（１６）に設けられた収容部（２２）に、前記前後方向にスライド可能に挿入されるスライダ（２１）として形成されることを特徴とする、請求項４に記載の掛止装置（１０）。
【請求項６】
前記調整手段は、前記翼状部（１６）の収容部（２４）に回転可能に配置される歯車（２３）と、前記スライダ（２１）に形成され、前記前後方向に延びる歯部（２５）とを含み、
前記歯車（２３）と前記歯部（２５）とが互いに係合されることを特徴とする、請求項５に記載の掛止装置（１０）。
【請求項７】
前記調整手段は、さらに、前記スライダ（２１）と前記本体部（１２）の前記翼状部（１６）とを移動可能に保持するための保持手段を含むことを特徴とする、請求項５または６に記載の掛止装置（１０）。
【請求項８】
前記保持手段は、前記スライダ（２１）、および、前記本体部（１２）の前記翼状部（１６）の一部それぞれに、互いに対向する歯部（２６，２７）を含み、
前記歯部（２６，２７）は、前記スライダ（２１）の前記前後方向に沿う異なる調整位置において互いに係合可能であることを特徴とする、請求項７に記載の掛止装置（１０）。
【請求項９】
前記調整手段は、前記翼状部（１６）に形成された回転収容部（５３）に支持されるホイール部（５０）を含み、
前記ホイール部（５０）は、突部（５２）と絡み合う螺旋状ガイド（５１）を有し、
前記突部（５２）は、前記螺旋状ガイド（５１）と対面し、前記スライダ（２１）に形成されることを特徴とする、請求項５に記載の掛止装置（１０）。
【請求項１０】
前記掛止部材（１７）は、前記本体部（１２）から分離される分離要素（２１）からさらに分離される支持部（３１）上に形成され、
前記分離要素（２１）は、前記本体部（１２）に対し、前記前後方向に位置調整可能に、前記本体部（１２）と連結され、
前記支持部（３１）は、前記掛止部材（１７）の位置を調整するために、前記分離要素（２１）に対し、前記前後方向に少なくとも交差する方向に位置調整可能に前記分離要素（２１）と連結されることを特徴とする、請求項２または３に記載の掛止装置（１０）。
【請求項１１】
前記掛止部材（１７）は、前記支持部（３１）上の中心をはずれた位置に配置され、
前記支持部（３１）は、前記分離要素（２１）の穴（３２）に回転可能に収容されるディスク部（３１）として形成されることを特徴とする、請求項１０に記載の掛止装置（１０）。
【請求項１２】
前記掛止装置（１０）は、弾性的に撓むように前記本体部（１２）と連結される前方部材（４０）を含み、
前記前方部材（４０）は、前記引き出し（２０）の前方壁の対応する収容部に挿入されるように形成され、配置されることを特徴とする、請求項１〜１１のいずれかに記載の掛止装置（１０）。
【請求項１３】
前記分離要素（２１）は、切り取られたシート状の金属により構成され、
前記掛止部材（１７）は、前記分離要素（２１）のシートが上方に折り曲げられた部分によって形成され、
前記分離要素（２１）は、前記翼状部（１６）に設けられた貫通穴（４５）と係合するために、当該要素（２１）に形成された前記前後方向に長いスロット（４４）を通って延びるねじ（４３）によって、前記本体部（１２）の前記翼状部（１６）に解放可能に固定されることを特徴とする、請求項５に記載の掛止装置（１０）。
【請求項１４】
家具の本体に予め取付け可能で引き出し（２０）の前後方向に長く延びる引き出しガイド（１１）の可動部（１１Ａ）に引き出し（２０）を固定するための装置であって、
前記可動部（１１Ａ）に取付け可能な本体部（１２）と、
前記本体部（１２）に対して前記前後方向に位置調整可能に連結され、前記本体部の取付け状態において上方に延び、引き出し（２０）に設けられた穴（１８）に挿入可能である掛止部材（１７）と、
前記本体部（１２）に対する前記掛止部材（１７）の位置を調整するための調整手段（２３，３１）と、
前記本体部（１２）に対して、前記前後方向に位置調整可能に、前記本体部（１２）と連結された分離要素（２１）とを備え、
前記掛止部材は、前記分離要素（２１）上に形成され、
前記分離要素（２１）は、前記本体部（１２）の翼状部（１６）に設けられた収容部（２２）に、前記前後方向にスライド可能に挿入されるスライダ（２１）として形成されることを特徴とする、掛止装置。
【請求項１５】
家具の本体に予め取付け可能で引き出し（２０）の前後方向に長く延びる引き出しガイド（１１）の可動部（１１Ａ）に引き出し（２０）を固定するための装置であって、
前記可動部（１１Ａ）に取付け可能な本体部（１２）と、
前記本体部（１２）に対して前記前後方向に位置調整可能に連結され、前記本体部の取付け状態において上方に延び、引き出し（２０）に設けられた穴（１８）に挿入可能である掛止部材（１７）と、
前記本体部（１２）に対する前記掛止部材（１７）の位置を調整するための調整手段（２３，３１）と、
前記本体部（１２）に対し、前記前後方向に位置調整可能に、前記本体部（１２）と連結された分離要素（２１）とを備え、
前記掛止部材（１７）は、前記分離要素（２１）からさらに分離される支持部（３１）上に形成され、
前記支持部（３１）は、前記掛止部材（１７）の位置を調整するために、前記分離要素（２１）に対し、前記前後方向に少なくとも交差する方向に位置調整可能に前記分離要素（２１）と連結されることを特徴とする、掛止装置（１０）。
【請求項１６】
家具の本体に予め取付け可能で引き出し（２０）の前後方向に長く延びる引き出しガイド（１１）の可動部（１１Ａ）に引き出し（２０）を固定するための装置であって、
前記可動部（１１Ａ）に取付け可能な本体部（１２）と、
前記本体部（１２）に対して前記前後方向に位置調整可能に連結され、前記本体部の取付け状態において上方に延び、引き出し（２０）に設けられた穴（１８）に挿入可能である掛止部材（１７）と、
前記本体部（１２）に対する前記掛止部材（１７）の位置を調整するための調整手段（２３，３１）と、
弾性的に撓むように前記本体部（１２）と連結され、前記引き出し（２０）の前方壁の対応する収容部に挿入されるように形成され、配置される前方部材（４０）とを備えることを特徴とする、掛止装置（１０）。
【請求項１７】
請求項１〜１６のいずれかに記載の掛止装置（１０）を含むことを特徴とする、引き出しのための引き出しガイド。
【請求項１８】
請求項１７に記載の引き出しガイドを有する、引き出し。
【発明の詳細な説明】
【技術分野】
【０００１】
本発明は、家具の本体に予め取付け可能な引き出しガイドに、引き出しなどを固定するための掛止装置に関する。この掛止装置は、ガイドに適用可能であり、引き出しに設けられた取付け位置である穴に挿入可能な掛止ピンを具備する。
【背景技術】
【０００２】
引き出し用の引き出しガイドの前方端に適用可能な掛止装置またはクリップ装置が使用されていることは周知である。これらの装置は、引き出しガイドに引き出しを固定するために引き出しの下方部に設けられた取付け位置である穴に挿入可能なピンを具備する。これらの装置は、引き出しに必要とされる操作を制限することができ、また、それゆえに、従来より、高さ調整手段を具備している。高さ調整手段は、引き出しの前面が互いに平行となるようそれらを配置可能とする。
【０００３】
しかしながら、次のような問題がある。すなわち、引き出しが一旦取付けられると、作業ミス、耐性、または穴の位置誤りによって、引き出しの前面は前進位置または後退位置に位置することもあり得、また／または、互いに横方向にずれることもあり得る。
【０００４】
したがって、上述のような引き出しの位置の問題を防止することができ、構造上簡易かつ取付けが容易である掛止装置を検討する必要がある。それは、ガイドと引き出しとの間に存在し得る偶発的な遊びを取り除くことができるとともに、引き出しについての作業ミスおよび／または穴開け操作のミスを補償することもできる装置である。
【発明の概要】
【発明が解決しようとする課題】
【０００５】
ゆえに、発明の目的は、引き出しに設けられた穴に挿入可能な掛止ピンを有する様式の掛止装置であって、構成上簡易かつ取付けが容易であり、引き出し相互の正しい位置決めを可能にする掛止装置を提供することである。この掛止装置は、作業ミスおよび／または穴開けミスの補償を可能にすると同時に、ガイドと引き出しとの間に存在し得る遊びを取り除くことができるものである。
【課題を解決するための手段】
【０００６】
上記は、家具の本体に予め取付け可能な縦方向の引き出しガイドに、引き出しなどを固定する掛止装置によって達成可能である。この装置は、ガイドの引き出し部に連結可能な本体部と、取付け状態において上方に延び、引き出しに設けられた穴に挿入可能な引き出し用の掛止部材とを含む。掛止部材は、装置の本体部に対して移動および調整可能に分離および連結される。また、調整手段が、装置の本体部に対して掛止部材の位置を調整するために設けられる。
【０００７】
本発明のさらなる特徴は、従属クレームにおいてさらに規定されるであろう。
【０００８】
本発明の特徴および有利な効果は、縦方向の引き出しガイドに、引き出しなどを固定する掛止装置の好ましい（しかしながら排他的でない）実施形態の後述する説明によってより十分に明らかとなるであろう。本発明に係る実施形態の説明において、次に示されるような添付図面を参照する。
【図面の簡単な説明】
【０００９】
【図１】本発明に係る引き出しを固定するための掛止装置に備えられた、引き出し用の引き出しガイドの斜視図である。
【図２】本発明に係る装置に引き出しが掛止された場合における、図１の２-２線に沿うガイドの断面図である。
【図３】本発明の第１の実施形態において、引き出しを固定するための掛止装置を上から見た拡大斜視図である。
【図４】図３の掛止装置を下から見た拡大斜視図である。
【図５】図３の掛止装置を上から見た斜視図であって、掛止部材が前進位置に調整された掛止装置を示す。
【図６】図３の掛止装置を上から見た斜視図であって、掛止部材が後退位置に調整された掛止装置を示す。
【図７】本発明の第２の実施形態に従って、掛止部材が、装置の本体部に対し、ガイドの引き出し方向と交差する方向に調整可能に連結された、掛止装置用のスライダを上部から見た拡大斜視図である。
【図８】図７のスライダを下から見た拡大斜視図である。
【図９】本発明の第３の実施形態に係る引き出しを固定するための掛止装置の拡大斜視図である。
【図１０】本発明の第４の実施形態において、調整位置の一端に調整された引き出しを固定するための掛止装置を上から見た拡大斜視図である。
【図１１】本発明の第４の実施形態において、調整位置の他端に調整された引き出しを固定するための掛止装置を上から見た拡大斜視図である。
【図１２】図１０および図１１の掛止装置を上から見た拡大斜視図である。
【図１３】図１０および図１１の掛止装置を下から見た拡大斜視図である。
【発明を実施するための形態】
【００１０】
本発明に係る掛止装置は、参照番号１０によって全体が示されており、家具の本体に取付け可能である、引き出しなどのための引き出しガイド１１の可動部１１Ａの前端に適用可能である。また、掛止装置は、以下に、より十分に説明されるように、引き出しの固定に適した掛止部材を備えている。
【００１１】
特に、図１〜６に示されるように、装置１０は、本体部１２を含んでおり、本体部１２は、好ましくはプラスチック材で形成され、縦軸に沿って延びる軸方向突出部１２’を具備する。軸方向突出部１２’は、ガイド１１の可動部１１Ａの前端に挿入可能（少なくとも連結および固定可能）となるように形成される。これにより、本体部１２は、ガイド１１の縦方向の引き出し方向と平行に配置される。
【００１２】
装置の本体部１２は、縦方向第１側部に、引き出しに公知の高さ調整手段１５のための支持翼状部１４を具備する。また、上記側部と反対側の縦方向第２側部に、引き出し用の掛止部材１７のための支持翼状部１６を具備する。掛止部材１７は、ピン形状であることが好ましく、取付け状態において上方に延び、かつ、引き出しに設けられた穴すなわち収容部１８に挿入可能である。収容部１８は、たとえば、図２に示されるように、引き出し２０の側壁１９の下側に設けられる。
【００１３】
本発明によれば、掛止部材１７は、移動および調整可能に、装置１０の本体部１２に対し分離および連結される。そして、装置の本体部１２に対する掛止部材１７の位置を調整するための手段が備えられる。
【００１４】
本発明の好ましい実施形態において、掛止部材１７は、本体部１２に対して、ガイド１１の縦方向の引き出し方向に調整可能である。
【００１５】
あるいは、掛止装置１７は、ガイド１１の縦方向の引き出し方向と交差（横断）する方向に、本体部１２に対し調整可能である。または、引き出しの水平な載置面において、縦方向、および、ガイド１１の縦方向の引き出し方向と交差する方向の両方に調整可能である。
【００１６】
より特定的には、上述の縦方向の調整を目的として、掛止装置１７は、本体部１２から分離された要素２１上に形成されることが望ましい。要素２１は、掛止部材１７の位置を、ガイド１１の引き出し方向と平行する異なる位置に配置替えできるように、移動および調整可能に本体部１２と連結される。
【００１７】
実施形態の典型例によれば、図３〜６により多くの詳細が示されるように、掛止部材１７を備えた分離要素２１は、スライダ２１として形成される。スライダ２１は、本体部１２の側方翼状部１６に設けられた収容部である細長い空洞部２２に、縦方向にスライド可能に挿入される。これにより、本体部１２に対するピン１７の位置を縦方向に配置替えできる。
【００１８】
スライダ２１の位置を調整および停止する目的で、上述のように、調整手段が設けられる。調整手段は、たとえば、歯車２３および歯部２５を含む。歯車２３は、翼状部１６の下部の収容部２４において、回転可能に、しかし軸方向に移動不能に配置されている。歯部２５は、スライダ２１において縦方向に延びているため、歯車２３と係合し、たとえば歯車２３上の切り抜かれた穴２３’に適当な工具を係合させて歯車２３を適切に回転させることによって、スライダ２１を縦方向に調整することができる。
【００１９】
翼状部１６の収容部２４における回転を制限するために、歯車２３は、さらに、ディスク部２３”を具備する。ディスク部２３”は、収容部２４のアーチ型の縁部２４’としての半環状の係合収容部を規定するように、軸方向に離れた位置において歯車と連結されている。
【００２０】
調整手段は、さらに、スライダ２１と本体部１２の翼状部１６との間に、解放可能な保持手段を含むため、異なる調整位置においてスライダ２１を選択的に停止させることができる。保持手段は、たとえば、対向する横手方向に延びる歯部２６，２７とすることで解放可能である。歯部２６，２７は、それぞれ、スライダ２１、および、翼状部１６の一部であって収容部２２の内部に設けられる。歯部２６，２７は、スライダ２１の縦方向の調整位置に対応する異なった位置において、互いにスライド可能に係合することができる。
【００２１】
スライダ２１の脱落を回避する目的で、杭部２８が設けられることが好ましい。杭部２８は、スライダ２１の縦方向スロット２９に係合するように、翼状部１６の収容部２２の内部に延びている。杭部２８は、翼状部１６の収容部２２にスライダ２１を取付け可能とするために、可撓性タブ３０から延びている。タブ３０が湾曲することによって、スロット２９に杭部２８を挿入することができる。
【００２２】
図５および６に示されるように、上記解決策によって、掛止部材１７は、完全な前進位置と完全な後退位置との間に含まれる異なる複数の位置において、縦方向のガイド１１の引き出し方向に簡易かつ素早く調整されることができる。
【００２３】
図７および８は、本発明の他の実施形態を示す。これらの図において、同様または相当する部分は、同じ参照番号を用いて示されている。特に、図７および８において、掛止装置１０のためのスライダ２１は、掛止部材１７が縦方向に調整可能であるだけでなく、引き出しの水平な載置面において、ガイド１１の縦方向の引き出し方向と交差する方向にも、本体部１２に対して調整可能であるものとして示されている。
【００２４】
特に、典型的な実施形態において、掛止部材１７は、本体部１２から分離されるスライダ２１からさらに分離される支持部３１上に形成される。支持部３１は、ガイド１１の引き出し方向に少なくとも交差する方向に掛止部材１７の位置を調整するために、スライダ２１に対し移動および調整可能な方法で、スライダ２１に連結される。たとえば、支持部３１は、掛止部材１７が中心よりずれて配置されたディスク部３１によって形成される。ディスク部３１は、スライダ２１の貫通穴３２に回転可能に収容される。これにより、たとえば、切り抜かれた空洞部３３に挿入された適当な工具によってディスク部３１を適切に回転させることによって、掛止部材１７の位置が、上述の交差する方向（横方向）に調整可能とされる。それどころか、この場合、縦方向における掛止部材１７の位置は、ディスク部３１の環状位置およびスライダ２１の縦方向位置の両方によって規定される。
【００２５】
スライダ２１の穴３２においてディスク部３１を保持するために、穴３２は、停止部を具備する。停止部は、軸方向端部に環状の縁部３４を有し、他方向端部に、ディスク部３１を挿入した後、ディスク部３１の位置を保持可能にする弾性タブ３５を有する。
【００２６】
それに加え、異なる調整位置においてディスク３１の回転を停止するために、ディスク部３１および穴３２は、それぞれ、外側および内側の外表面にぎざぎざ（ナーリング）３６，３７を具備する。ぎざぎざ３６，３７は、互いに係合することにより、ディスク部３１の自由な回転を阻止する。
【００２７】
図９は、本発明の第３の実施形態を示す。この図において、同様または相当する部分は、同じ参照番号を用いて示されている。この実施形態において、スライダ２１は、切り取られた金属シートでできており、スライダ２１のシート状の金属の一部を上方に折り曲げることによって形成された掛止部材１７を備えている。これにより、構造上のレベルを簡単化することができる。
【００２８】
スライダ２１は、たとえば、本体部１２の側方翼状部１６の上面に設けられたガイド収容部４２において、縦方向にスライドさせて取付け可能である。すなわち、スライダ２１は、本体部１２に対し、掛止部材１７の縦方向の移動を可能とするように、翼状部１６の上面に直接取付け可能である。
【００２９】
スライダ２１の位置を調整および停止することを目的として、たとえば、固定用ねじ４３が設けられてよい。固定用ねじ４３は、翼状部１６における貫通穴４５に係合するように、スライダ２１において縦方向に形成されたスロット４４を通って延びる。この場合、スライダ２１の縦方向の調整は、ねじ４３が取り外された後に、手動により行うことができる。
【００３０】
結果として、この場合、対向する横方向の歯部２６，２７は、それぞれ、スライダ２１、および、翼状部１６の一部であって収容部４２の内部に設けられ、形成されている。これらは、スライダ２１の縦方向の調整位置に対応する異なった位置において、互いに係合することができるため、異なる調整位置においてスライダ２１を選択的に停止させることができる。
【００３１】
図１０〜１３は、掛止部材１７の縦方向位置の調整手段について、他の実施形態を示す。この場合、調整手段は、ホイール部５０を含む。ホイール部５０は、側方翼状部１６に形成された回転収容部５３に支持され、突出部５２と絡み合う螺旋状ガイド５１が設けられている。突出部５２は、螺旋状ガイド５１と対面し、スライダ２１に設けられている。スライダ２１の縦方向ガイドは、スライダ２１のＵ字状折り曲げ部５４およびピン５５によって得られる。折り曲げ部５４は、本体部１２の翼状部１６を囲む。ピン５５は、翼状部１６に固定されたヘッド５６を備え、スライダ２１に設けられたスロット５７内を移動する。ホイール部５０は、ユーザの手動によってその作動を可能とするために、回転収容部５３から側方に出っ張っている。また、見た目において、操作のためにそれを掴んで扱い易くするぎざぎざ（ナーリング）５８を具備している。ホイール部５０は、代替的に、工具によって作動可能とされてもよい。この目的において、ホイール部５０は、螺旋状ガイド５１が形成された方の反対側に、翼状部１６の収容部５３における貫通穴６０に挿入される中央ピン５９を具備する。ピン５９の端部は、工具の先端を係合可能な切り込み部６１を有している。
【００３２】
上述の実施形態は、可能性のある例を示したものであり、発明を限定的に捉えられるべきではない。本発明によれば、装置１０の本体部１２へ掛止部材１７を連結する方法として種々の方法が提供されるであろう。また、ねじ手段、カム手段、ウェッジ手段などによって、装置の本体部１２に、掛止部材１７の位置を調整するための種々の手段が提供されるであろう。
【００３３】
掛止装置１０は、引き出し用に、杭部すなわち横方向に傾きを有しない固定具３８をさらに含むことが望ましい。固定具３８は、貫通孔を通って延び、本体部１２の軸に対して交差する方向に移動可能であり、これにより、縦方向に細長く、引き出し２０の側壁１９の下方延出部１９’に設けられた、図示しない収容部またはスロットに係合される。
【００３４】
引き出し２０が引き出しガイド１１に正しく取付けられると、固定用杭部３８によって、引き出し２０は、装置１０に強固に固定することができる。
【００３５】
その作動のために、固定用杭部３８は、その端部に、たとえば平坦延出部３９のような手動のグリップ手段を具備する。これにより、引き出しの側壁１９における収容部からそれを容易に着脱可能とするためにピン３８をスライドさせることができる。
【００３６】
掛止装置１０は、横方向の固定用杭部３８に代えてまたは加えて、傾きを有さない固定手段として用いられる前方突部４０をさらに含んでもよい。
【００３７】
特に、前方ピン４０は、側方翼状部４１から軸方向に延びる。翼状部４１は、可撓性があり、弾性的に撓み、引き出し２０の前方壁の方を向いて本体部１２の端部に配置される。
【００３８】
引き出し２０の前方壁は、引き出しを取付けた状態においてピン４０が挿入される収容または係合穴を具備する。
【００３９】
上記から明らかなように、本発明に従う掛止装置は、上記装置における本体部の基本構造のような搭載が容易な簡易構造と、公知の掛止装置からの修正でないガイドへの固定手段とを具備する。さらに、本発明の掛止部材の調整により、引き出しは、互いに最適に配置され、作業ミスおよび／または引き出しの穴あけミスによる補償を可能とし、ガイドと引き出しとの間にある遊びを取り除くことができる。
【００４０】
しかしながら、本発明に従う掛止装置は、発明の概念の範囲内において種々の修正および変更を許可する。さらに、構造上の特徴は、技術的に等しい要素に置換可能である。
【符号の説明】
【００４１】
１０  掛止装置、１１  引き出しガイド、１２  本体部、１４，１６，４１  翼状部、１５  高さ調整手段、１７  掛止部材、１８，２２，２４  収容部、１９  側壁、２０  引き出し、２１  スライダ（要素）、２３  歯車、２５，２６，２７  歯部、２８  杭部、２９  縦方向スロット、３０  可撓性タグ、３１  支持部、３２，４５，６０  貫通穴、３５  弾性タグ、３６，３７，５８  ぎざぎざ（ナーリング）、３８  固定具、４０  前方突部、４２  ガイド収容部、４３  固定用ねじ、４４，５７  スロット、５０  ホイール部、５１  螺旋状ガイド、５２  突出部、５３  回転収容部、５４  Ｕ字状折り曲げ部。
【図１】
0005970067.tif 000002
【図２】
0005970067.tif 000003
【図３】
0005970067.tif 000004
【図４】
0005970067.tif 000005
【図５】
0005970067.tif 000006
【図６】
0005970067.tif 000007
【図７】
0005970067.tif 000008
【図８】
0005970067.tif 000009
【図９】
0005970067.tif 000010
【図１０】
0005970067.tif 000011
【図１１】
0005970067.tif 000012
【図１２】
0005970067.tif 000013
【図１３】
0005970067.tif 000014